(57)【要約】【課題】光源の照射光により暗所でも素早く且つ正確に測定を行うことができると共に、既存の測定用気泡管に対して光源を容易に実装できる構造の水準器を提供すること。【解決手段】測定用気泡管２の一端部の内方に向かって凹む管端凹部３に、測定用気泡管２の内方に向かって光を照射する光源４を設けた基板５を係合配設し、この基板５に設けた光源４を発光させる電源６を前記水準器本体１に設けると共に、この電源６をＯＮ・ＯＦＦするスイッチ７を設けた水準器。【選択図】図３
2014055872.tif 000002
【特許請求の範囲】
【請求項１】
水準器本体に、外部から視認可能な測定用気泡管を設けた水準器において、前記測定用気泡管の一端部の内方に向かって凹む管端凹部に、測定用気泡管の内方に向かって光を照射する光源を設けた基板を係合配設し、この基板に設けた光源を発光させる電源を前記水準器本体に設けると共に、この電源をＯＮ・ＯＦＦするスイッチを設けたことを特徴とする水準器。
【請求項２】
前記測定用気泡管は、一端部がこの測定用気泡管の内方に向かって凹む前記管端凹部に形成されると共に、他端部が開放する形状に形成されてこの開放他端部が閉塞蓋によって閉塞された構造のものを採用し、この測定用気泡管の一端部の前記管端凹部に、前記光源としての表面実装型ＬＥＤを実装した前記基板を収容状態に係合配設したことを特徴とする請求項１記載の水準器。
【請求項３】
前記測定用気泡管は、一端部に円形に凹む形状の前記管端凹部を具備する構造のものを採用し、この管端凹部に、前記光源を設けた円板形の前記基板を収容状態に係合配設したことを特徴とする請求項１，２のいずれか１項に記載の水準器。
【請求項４】
前記水準器本体は、前記測定用気泡管を設ける気泡管取付ベースを具備する構成とし、この気泡管取付ベースは、前記測定用気泡管を取り付け可能な取付用開口部を設け、この取付用開口部の前記測定用気泡管の一端部が配設される位置に、前記管端凹部に係合配設した前記基板の配線を通す配線通し部を設けたことを特徴とする請求項１〜３のいずれか１項に記載の水準器。
【請求項５】
前記取付用開口部の前記測定用気泡管の一端部が配設される位置を外方へ切欠して、この切欠部を前記配線通し部としたことを特徴とする請求項４記載の水準器。
【発明の詳細な説明】
【技術分野】
【０００１】
本発明は、暗い所でも測定が可能な気泡管式の水準器に関するものである。
【背景技術】
【０００２】
水準器は、夜間や暗所で使用されることも多いが、暗いと測定用気泡管が見づらいために、素早く正確に測定することが難しい。
【０００３】
そこで、出願人は、測定用気泡管に蓄光材を沿設配設して、この蓄光材の発光により暗くても測定用気泡管を視認し易い特許第４２０６０８０号（特許文献１）を開発した。
【先行技術文献】
【特許文献】
【０００４】
【特許文献１】特許第４２０６０８０号公報
【発明の概要】
【発明が解決しようとする課題】
【０００５】
本発明は、上記特許文献１のような気泡管照明付の水準器の改良に係るもので、光源の照射光により暗所でも素早く且つ正確に測定を行うことができると共に、既存の水準器用の測定用気泡管に対して光源を極めて容易に実装可能となる優れた水準器を提供するものである。
【課題を解決するための手段】
【０００６】
添付図面を参照して本発明の要旨を説明する。
【０００７】
水準器本体１に、外部から視認可能な測定用気泡管２を設けた水準器において、前記測定用気泡管２の一端部の内方に向かって凹む管端凹部３に、測定用気泡管２の内方に向かって光を照射する光源４を設けた基板５を係合配設し、この基板５に設けた光源４を発光させる電源６を前記水準器本体１に設けると共に、この電源６をＯＮ・ＯＦＦするスイッチ７を設けたことを特徴とする水準器に係るものである。
【０００８】
また、前記測定用気泡管２は、一端部がこの測定用気泡管２の内方に向かって凹む前記管端凹部３に形成されると共に、他端部が開放する形状に形成されてこの開放他端部が閉塞蓋８によって閉塞された構造のものを採用し、この測定用気泡管２の一端部の前記管端凹部３に、前記光源４としての表面実装型ＬＥＤ４を実装した前記基板５を収容状態に係合配設したことを特徴とする請求項１記載の水準器に係るものである。
【０００９】
また、前記測定用気泡管２は、一端部に円形に凹む形状の前記管端凹部３を具備する構造のものを採用し、この管端凹部３に、前記光源４を設けた円板形の前記基板５を収容状態に係合配設したことを特徴とする請求項１，２のいずれか１項に記載の水準器に係るものである。
【００１０】
また、前記水準器本体１は、前記測定用気泡管２を設ける気泡管取付ベース９を具備する構成とし、この気泡管取付ベース９は、前記測定用気泡管２を取り付け可能な取付用開口部10を設け、この取付用開口部10の前記測定用気泡管２の一端部が配設される位置に、前記管端凹部３に係合配設した前記基板５の配線12を通す配線通し部11を設けたことを特徴とする請求項１〜３のいずれか１項に記載の水準器に係るものである。
【００１１】
また、前記取付用開口部10の前記測定用気泡管２の一端部が配設される位置を外方へ切欠して、この切欠部11を前記配線通し部11としたことを特徴とする請求項４記載の水準器に係るものである。
【発明の効果】
【００１２】
本発明は上述のように構成したから、簡単なスイッチ操作で光源により測定用気泡管を照明でき、しかも、光源に照らされた測定用気泡管内の気泡の縁部が輝いて見えるので、この気泡の位置を作業者が容易に且つ明確に認識することができ、これにより夜間や暗所での測定作業を、昼間や明所での測定作業と同様に素早く正確に行うことができ、その上、本発明は、一般的な測定用気泡管の一端部に備わっている管端凹部を利用して光源（を設けた基板）を係合配設するため、光源配設用のスペースを新たに確保するような設計変更を要することなく、既存の測定用気泡管に対し無加工で光源を配設可能で簡易に量産可能となるなど、極めて実用性に優れた水準器となる。
【００１３】
また、請求項２記載の発明においては、一端部に管端凹部を具備する形状に一体成形された既存の測定用気泡管を採用でき、この測定用気泡管の管端凹部内の省スペースに確実に無加工で光源を係合配設することができる一層実用性に優れた構成の水準器となる。
【００１４】
また、請求項３記載の発明においては、測定用気泡管の管端凹部内の省スペースに位置決め状態で安定的に光源（を設けた基板）を係合配設することができる一層実用性に優れた構成の水準器となる。
【００１５】
また、請求項４記載の発明においては、基板（光源）が管端凹部に係合配設された測定用気泡管を容易に且つ確実に水準器本体の気泡管取付ベースに設けることができ、基板の配線も気泡管取付ベースの配線通し部に容易に且つ納まり良く配設することができるなど、一層実用性に優れた構成の水準器となる。
【００１６】
また、請求項５記載の発明においては、前記作用・効果を確実に発揮する配線通し部を簡易に設計実現可能となる一層実用性に優れた構成の水準器となる。
【図面の簡単な説明】
【００１７】
【図１】本実施例を示す斜視図である。
【図２】本実施例の分解斜視図である。
【図３】本実施例の測定用気泡管と基板とを示す説明拡大斜視図である。
【図４】本実施例の測定用気泡管への基板（光源）の実装構造を示す部分拡大説明側断面図である。
【発明を実施するための形態】
【００１８】
好適と考える本発明の実施形態を、図面に基づいて本発明の作用を示して簡単に説明する。
【００１９】
本発明の水準器は、測定用気泡管２の一端部の内方に向かって凹む管端凹部３に、光源４を設けた基板５を係合配設して、この光源４が測定用気泡管２の内方に向かって光を照射するように設けている。
【００２０】
そのため、スイッチ７操作により電源６をＯＮにすると、光源４が点灯（発光）し測定用気泡管２の内方に向かって光が照射されて測定用気泡管２が明るく照らされるので、夜間や暗所でも測定用気泡管２を視認し易い。
【００２１】
また、測定用気泡管２内の気泡13が光源４に照らされると、気泡13の縁部が輝いて見えるので、この気泡13の縁部位置を作業者が容易に且つ明確に認識でき、従って、夜間や暗所での測定作業であっても、昼間や明所での作業と同様に素早く正確に測定することが可能となる。
【００２２】
測定終了後は、スイッチ７操作により電源６をＯＦＦにすることで光源４が消灯する。
【００２３】
また、この種の水準器に採用される一般的な測定用気泡管２は、その一端部に内方に向かって凹む管端凹部３を有するものが多いが、本発明は、この既存の測定用気泡管２の管端凹部３を利用して光源４（を設けた基板５）を配設できる構成としている。
【００２４】
そのため、本発明によれば、光源４を配設するためのスペースを水準器本体１や測定用気泡管２に新たに確保するように設計せずとも、測定用気泡管２に対し無加工で容易に光源４を配設することができる。
【実施例】
【００２５】
本発明の具体的な実施例について図面に基づいて説明する。
【００２６】
本実施例の水準器本体１は、図１，図４に示すような、やや厚みのある横長方形板状に形成し、この水準器本体１にこの水準器本体１外部から視認可能にして測定用気泡管２を設けている。
【００２７】
具体的には、水準器本体１は、測定用気泡管２を取付する取付用開口部10を複数（図面では三箇所）備えた金属製（例えばアルミ合金製）の気泡管取付ベース９と、この気泡管取付ベース９を両側から挟み込むようにして気泡管取付ベース９に装着される一対の合成樹脂製の外装カバー部材14とから成る三層構造体に構成し、この気泡管取付ベース９の各取付用開口部10に測定用気泡管２を配設すると共に、気泡管取付ベース９に前記一対の外装カバー部材14を装着することで各取付用開口部10の測定用気泡管２を一対の外装カバー部材14により挟持固定する構成としている。
【００２８】
また、気泡管取付ベース９は、図２に示すように、断面略Ｉ字形をなす横長方形板に形成して、上部横板部の上面と下部横板部の下面を被測定物に当接させる測定基準面15とし、この上下の横板部間の縦板部の数箇所（図面では三箇所）に、この縦板部を貫通するようにして略方形状の前記取付用開口部10を設けた構成としている。そして、この気泡管取付ベース９の縦板部の両側板面に対して一対の外装カバー部材14を重合状態に装着し得るように構成している。
【００２９】
また、上下の測定基準面15には、断面Ｖ形の凹溝16（Ｖ溝）を形成し、この凹溝16に管材のような凸湾曲面状の外周面を有する被測定物の外面を挿入するようにして基準面16を被測定物の外面に当接させることで、凹溝16の左右両側の溝縁部を被測定物に二本線で当接させて、被測定物の傾斜度等を測定できるように構成している。
【００３０】
また、下部の測定基準面15には、磁石窓25を設けて、この磁石窓25から磁石部24（ヨークなど）を露出状態に設けている。即ち、この下部の測定基準面15については、吸磁性の被測定物に対して吸磁止着させて測定可能な構成としている。
【００３１】
また、一対の外装カバー部材14は、図２に示すように、横長方形板に形成すると共に、夫々を略対称形状となるように構成し、更に前記気泡管取付ベース９よりやや長い横長さ寸法を有すると共に、気泡管取付ベース９の上下の横板部間の幅寸法と同等の上下幅寸法を有する構成として、気泡管取付ベース９の縦板部の両側板面に、上下の測定基準面15間に嵌め込むようにして重合装着し得るように構成している。図中符号21は一対の外装カバー部材14を気泡管取付ベース９に重合装着するための取付ボルト、22は取付ボルト21に螺着するナット、23は水準器本体１の両端部に設けるシャックルである。
【００３２】
また、この一対の外装カバー部材14には、前記各取付用開口部10に位置を対応させて数箇所（図面では三箇所）に略方形状の窓孔17を形成し、各取付用開口部10に配した測定用気泡管２をこの三箇所の窓孔17を介して水準器本体１外部から視認可能となるように構成している。
【００３３】
また、三箇所の測定用気泡管２は、いずれも異なる角度に配設して水平度測定と、垂直度測定と、傾斜度測定の三つの測定機能を有する構成とした場合を示している。
【００３４】
また、ここで本実施例の前記測定用気泡管２について説明すると、透明な合成樹脂製の有底円柱（円筒）状体であって、底側の一端部にこの測定用気泡管２の内方に向かって凹む管端凹部３を具備すると共に、他端部が開放する形状に一体成形されていてこの開放他端部が円板状の閉塞蓋８によって閉塞された構造の既製品を採用している。
【００３５】
このような円筒形状の測定用気泡管２は、成形に際して内径寸法のバラつきを抑制し寸法安定化を図る目的で、底側（閉塞形状側）端部（一端部）に外方に向かって円周状に突設する環状リブが一体成形されていて、この環状リブの内側が円形に凹んで凹み底が平坦な凹部３（前記管端凹部３）となっている。
【００３６】
本実施例では、このような一端部に管端凹部３が設けられた既存の測定用気泡管２を採用し、この測定用気泡管２の一端部の円形の管端凹部３を利用して、この管端凹部３に、測定用気泡管２の内方に向かって光を照射する光源４を設けた基板５を係合配設した構成としている。
【００３７】
具体的には、前記光源４は、表面実装型ＬＥＤ４を採用し、この表面実装型ＬＥＤ４を前記円形の管端凹部３に略合致する円板状の前記基板５に実装した構成としている。そして、この円板状の基板５をその全体が前記管端凹部３内に収容されるように係合配設（嵌合状態に配設）して位置決めした構成としている（図３，図４参照。）。尚、この基板５の管端凹部３への係合構造は、基板５の外周部全周に凹みを設けて、この凹みに管端凹部３周囲の環状リブが係合するような構成としたり、測定用気泡管２より径大な基板５が管端凹部３に被嵌状態で係合するような構成としたり、他の係合構造を採用しても良い。
【００３８】
また、本実施例では、気泡管取付ベース９の取付用開口部10の前記測定用気泡管２の一端部を配設する位置に、前記管端凹部３に係合配設した前記基板５に接続された配線12を通す配線通し部11を設けている。
【００３９】
具体的には、図２，図４に示すように、前記取付用開口部10の前記測定用気泡管２の一端部を配設する位置を外方へ切欠して、この切欠部11を前記配線通し部11としている。言い換えると、取付用開口部10の形状を、配設通し部11を有する形状に形成（例えば打ち抜き形成）している。
【００４０】
また、本実施例では、基板５に設けた光源４を発光させる電源６を前記水準器本体１に設けると共に、この電源６をＯＮ・ＯＦＦするスイッチ７を設けている。
【００４１】
具体的には、前記水準器本体１を構成する前記外装カバー部材14の一方（図２において奥側）に、電源６としての乾電池６を装着可能な電池ボックス部18を一体成形により設け、この電池ボックス部18を前記各測定用気泡管２の管端凹部３に配設された基板５と配線12で接続している。図中符号19は電池ボックス部18に対して着脱自在な電池蓋である。
【００４２】
また、この電池ボックス部18と各基板５とを接続する配線12にプッシュボタン切換式の前記スイッチ７を設け、前記光源４が消灯している状態でこのスイッチ７のプッシュボタンを押すと電源６がＯＮとなって光源４が点灯し、光源４点灯状態でスイッチ７のプッシュボタンを押すと電源６がＯＦＦとなって光源４が消灯する構成としている。
【００４３】
また、このスイッチ７は、そのプッシュボタンを前記外装カバー部材14の他方（図２において手前側）に設けたスイッチ穴20から水準器本体１外へ突出状態に設け、更にこのスイッチ穴20から突出するスイッチ７のプッシュボタンを他方の外装カバー部材14に貼設したスイッチカバー26（シール）で隠蔽して、このスイッチカバー26を介してスイッチ７をプッシュ操作し得るように構成している。
【００４４】
このように構成した本実施例によれば、夜間や暗所で測定を行う場合に、スイッチ７のプッシュ操作により電源６をＯＮにすると、光源４が点灯（発光）し測定用気泡管２の内方に向かって光が照射されて測定用気泡管２が明るく照らされるので測定用気泡管２を視認し易い。
【００４５】
また、測定用気泡管２内の気泡13が光源４に照らされると、気泡13の縁部が輝いて見えるので、この気泡13の縁部位置（と気泡管に示された測定指標（基準線）との位置関係）を作業者が容易に且つ明確に認識でき、昼間や明所での作業と同様に素早く正確に測定することができる。
【００４６】
測定終了後は、スイッチ７のプッシュ操作により光源４を消灯する（電源６をＯＦＦにする）ことができる。
【００４７】
尚、本発明は、本実施例に限られるものではなく、各構成要件の具体的構成は適宜設計し得るものである。
【符号の説明】
【００４８】
１  水準器本体
２  測定用気泡管
３  管端凹部
４  光源・表面実装型ＬＥＤ
５  基板
６  電源
７  スイッチ
８  閉塞蓋
９  気泡管取付ベース
10  取付用開口部
11  配線通し部・切欠部
12  配線
【図１】
2014055872.tif 000003
【図２】
2014055872.tif 000004
【図３】
2014055872.tif 000005
【図４】
2014055872.tif 000006